(57)【要約】【課題】移動光学系の重量を軽減でき、かつ、シャッター羽根の駆動源（アクチュエータ）への電力供給系の長寿命化を図れるシャッター装置を提供する。【解決手段】レンズ枠１３に立設された支軸２にシャッター羽根１が回動自在に支持され、該シャッター羽根１にはスライド係合部３が設けられる一方、撮像装置の本体側には、シャッター羽根１を回動動作させるための駆動源４が設けられ、該駆動源４の出力軸８には、光軸方向に延びる羽根操作軸５が設けられ、該羽根操作軸５に対して、スライド係合部３を、光軸方向にスライド自在となるように係合させる。【選択図】  図１
2006284731.tif 000002
【特許請求の範囲】
【請求項１】
光軸方向に移動自在なレンズ枠を備えてズーム操作が可能な撮像装置に設けられるシャッター装置であって、
前記レンズ枠に立設された支軸にシャッター羽根が回動自在に支持され、該シャッター羽根にはスライド係合部が設けられる一方、前記撮像装置の本体側には、前記シャッター羽根を回動動作させるための駆動源が設けられ、該駆動源の出力軸には、該出力軸と平行に設置される羽根操作軸が設けられ、該羽根操作軸に対して、前記スライド係合部を、光軸方向にスライド自在となるように係合させたことを特徴とするシャッター装置。
【請求項２】
前記スライド係合部が、前記羽根操作軸に係合する凹状に形成されることを特徴とする請求項１に記載のシャッター装置。
【発明の詳細な説明】
【技術分野】
【０００１】
本発明は、例えば、携帯電話機やパソコン等に付設されるズーム機能を備えた撮像装置に設けられるシャッター装置に関する。
【背景技術】
【０００２】
ズーム機能を備えた撮像装置では、シャッター装置が移動光学系に設けられることが多い。例えば、ズーム鏡胴内に、カム機構を介して光軸方向に移動自在な前群レンズユニットと後群レンズユニットを備え、その前群レンズユニットを保持する前群支持枠の上部にシャッター羽根とアクチュエータを備えたシャッター装置を設けた構成のカメラが提案されている（例えば、特許文献１参照）。
【特許文献１】特開２００４−１７７６９３号公報
【発明の開示】
【発明が解決しようとする課題】
【０００３】
上述のように、アクチュエータを含むシャッター装置を移動光学系（前群支持枠）に設ける場合には、必然的に移動光学系の重量が増加する。そのため、ズーム操作時にモータ等の駆動手段で移動光学系を移動させるように構成する場合には、駆動手段に対する負荷が増えることになり、電源電池の消耗が早くなってしまう。
【０００４】
特に、顕著なコンパクト化が要求される携帯電話機やパソコン等に付設される撮像装置では、シャッター装置のアクチュエータは移動光学系に対して相当な重量物となり、ズーム操作用の駆動手段への負担もかなり大きくなってしまう。
【０００５】
また、上記のような携帯電話機等の小型機器に適用する場合、シャッター装置のアクチュエータは、大きさの面でも移動光学系に対して相当な大きさとなり、移動光学系の移動に伴うアクチュエータの移動スペースも確保する必要が生じ、これも装置のコンパクト化を妨げる大きな要因となる。
【０００６】
また、シャッター装置のアクチュエータを移動光学系に設ける場合には、アクチュエータに電力を供給するために用いられるフレキシブル基板が、度重なる強制的な伸縮（変形）によって疲労しやすくなるため、その寿命が妨げられるという難点もある。
【０００７】
本発明は、このような実情に鑑みてなされ、移動光学系の重量を軽減でき、かつ、シャッター羽根の駆動源（アクチュエータ）への電力供給系の長寿命化を図れるシャッター装置を提供することを目的とする。
【課題を解決するための手段】
【０００８】
（１）本発明のシャッター装置は、光軸方向に移動自在なレンズ枠を備えてズーム操作が可能な撮像装置に設けられるシャッター装置であって、前記レンズ枠に立設された支軸にシャッター羽根が回動自在に支持され、該シャッター羽根にはスライド係合部が設けられる一方、前記撮像装置の本体側には、前記シャッター羽根を回動動作させるための駆動源が設けられ、該駆動源の出力軸には、該出力軸と平行に設置される羽根操作軸が設けられ、該羽根操作軸に対して、前記スライド係合部を、光軸方向にスライド自在となるように係合させたことを特徴とする。
【０００９】
このような構成によれば、ズーム操作によってレンズ枠と共にシャッター羽根が移動する際に、スライド係合部が羽根操作軸に係合した状態で移動するため、レンズ枠の位置が変化しても、羽根操作軸を介して駆動源（アクチュエータ）からの駆動力をシャッター羽根に伝達することができ、レンズ枠の位置の如何にかかわらず、シャッター羽根を回動動作させることができる。
【００１０】
また、特に顕著なコンパクト化が要求される携帯電話機やパソコン等に付設される撮像装置では、移動光学系にシャッター羽根の駆動源を設ける場合と比較して、この駆動源の重量分だけ移動光学系の重量を軽減することができるため、その光学系移動用の駆動源への負荷を低減することができ、電源電池の消耗を低く抑えることができる。
【００１１】
また、光学系の光軸方向への移動に伴い、シャッター羽根の駆動源が移動するためのスペースを確保する必要がなく、装置のコンパクト化が可能となる。
【００１２】
そして、シャッター羽根を回動動作させるための駆動源が撮像装置の本体側に設けられているため、ズーム操作をした場合でも駆動源は移動しないので、移動光学系にシャッター装置を設ける場合のような駆動源への配線の変形がなく、その劣化の度合いを軽減することができ、電力供給系の長寿命化を図ることができる。
【００１３】
（２）このようなシャッター装置では、前記スライド係合部が、前記羽根操作軸に係合する凹状に形成されてもよい。このようにすれば、スライド係合部を容易に製作することができる。また、シャッター装置の組み付けの際に、羽根操作軸にスライド係合部を容易に係合させることができる。また、容易に分離することができる。
【発明の効果】
【００１４】
本発明のシャッター装置は、シャッター羽根を回動動作させるための駆動源を撮像装置の本体側に設けると共に、光軸方向に延びる羽根操作軸を設け、該羽根操作軸に対して、シャッター羽根に設けたスライド係合部を、光軸方向にスライド自在となるように係合させるので、レンズ枠の位置が変化しても、羽根操作軸を介して駆動源からの駆動力をシャッター羽根に伝達することができ、レンズ枠の位置の如何にかかわらず、シャッター羽根を回動動作させることができる。
【００１５】
また、移動光学系にシャッター羽根の駆動源を設ける場合と比較して、移動光学系の重量を軽減することができるので、その光学系移動用の駆動源への負荷を低減することができ、電源電池の消耗を低く抑えることができる。
【００１６】
また、光学系の光軸方向への移動に伴い、シャッター羽根の駆動源が移動するためのスペースを確保する必要がなく、装置のコンパクト化が可能となる。
【００１７】
そして、シャッター羽根を回動動作させるための駆動源が撮像装置の本体側に設けられているので、ズーム操作をした場合でも駆動源は移動しないため、移動光学系にシャッター装置を設ける場合のような駆動源への配線の変形がなく、その劣化の度合いを軽減することができ、電力供給系の長寿命化を図ることができる。
【発明を実施するための最良の形態】
【００１８】
以下に、本発明の最良の実施の形態に係るシャッター装置について図面を参照しつつ詳細に説明する。
【００１９】
図１はシャッター装置の組み付け状態を示す斜視図、図２は平面図、図３は第２レンズ枠に第１レンズ枠を組み付けた状態の斜視図である。これらの図にて、符号１はシャッター羽根、２はシャッター羽根１を回動自在に支持する支軸で、第２レンズ枠１３に立設されている。３はシャッター羽根１の基部側に設けられるスライド係合部で、略Ｕ字状（凹状）に形成されておりシャッター羽根１の揺動端側には遮光部１ａが形成されている。
【００２０】
４は駆動源で、図示省略の撮像装置の本体側（筐体側）に固定されている。５は光軸方向に延びる羽根操作軸で、アーム６，７を介して駆動源４の出力軸８に固定されており、スライド係合部３がこの羽根操作軸５に対して光軸方向にスライド自在となるように係合する。９〜１２は駆動源４を構成する部材で、９はマグネット、１０はコイル、１１，１２はステータである。
【００２１】
１４は第２レンズ群で第２レンズ枠１３に支持され、１５は第１レンズ群で第１レンズ枠１６に支持され、これらで移動光学系２０が構成される（図３参照）。１７，１８はガイド軸で、光軸方向に配設され、第１レンズ枠１６と第２レンズ枠１３を光軸方向に案内する。１９は、第１レンズ枠１６に設けられる係合部で、この係合部１９が、光軸方向に沿って配設されるねじ機構（図示省略）のナット部材に係合する。
【００２２】
第２レンズ枠１３は、筐体側に設けたカム機構（図示省略）を介して第１レンズ枠１６と連係動作するため、第１レンズ枠１６と第２レンズ枠１３が、駆動源（図示省略）により、ねじ機構を介してズーム動作し、シャッター羽根１は、第１レンズ群１５と第２レンズ群１４の間にあって第２レンズ枠１３と共に移動する。その間、シャッター羽根１のスライド係合部３が羽根操作軸５に係合したままの状態が維持される。
【００２３】
以上のように構成されるシャッター装置では、ズーム操作によって第２レンズ枠１３と共にシャッター羽根１が移動する際に、スライド係合部３と羽根操作軸５との係合状態が維持されるため、第２レンズ枠１３の（筐体側に対する）位置が変化しても、羽根操作軸５を介して駆動源４からの駆動力がシャッター羽根１に確実に伝達される。従って、ズーム操作の如何にかかわらず、常に、シャッター羽根１を確実に回動動作させることができる。
【００２４】
また、移動光学系２０にシャッター羽根１の駆動源４を設ける場合と比較して、移動光学系２０の重量を軽減することができるため、その光学系移動用の駆動源への負荷を低減することができ、電源電池の消耗を低く抑えることができる。また、移動光学系２０の光軸方向への移動に伴い、シャッター羽根１の駆動源４が移動するためのスペースを確保する必要がなく、装置のコンパクト化が可能となる。したがって、特に顕著なコンパクト化が要求される携帯電話機やパソコン等に付設される撮像装置において、装置のコンパクト化やコストの低減化が可能となる。
【００２５】
そして、シャッター羽根１を回動動作させるための駆動源４が撮像装置の本体側に設けられているため、ズーム操作をした場合でも駆動源４は移動しないので、駆動源４への配線（図示省略）の変形がなく、その劣化の度合いを軽減することができ、電力供給系の長寿命化を図ることができる。
【００２６】
なお、本発明は、実施の形態に限定されることなく、発明の要旨を逸脱しない限りにおいて、適宜、必要に応じて、設計変更や改良等を行うのは自由である。
【産業上の利用可能性】
【００２７】
本発明に係るシャッター装置は、移動光学系の重量を軽減でき、かつ、シャッター羽根の駆動源（アクチュエータ）への電力供給系の長寿命化を図れるので、特に、顕著なコンパクト化が要求される携帯電話機やパソコン等に付設される撮像装置の分野等に好適である。
【００２８】
本発明に係るシャッター装置は、スライド係合部を羽根操作軸に係合する凹状に形成することでシャッター装置の組み付け作業性が良好となるので、小型カメラ等の分野における組み付け作業性の向上を図ることができる。
【図面の簡単な説明】
【００２９】
【図１】本発明の実施の形態に係るシャッター装置の組み付け状態を示す斜視図
【図２】同平面図
【図３】同第２レンズ枠に第１レンズ枠を組み付けた状態の斜視図
【符号の説明】
【００３０】
１  シャッター羽根
２  支軸
３  スライド係合部
４  駆動源
５  羽根操作軸
８  出力軸
１３  レンズ枠
【図１】
2006284731.tif 000003
【図２】
2006284731.tif 000004
【図３】
2006284731.tif 000005